(57)【特許請求の範囲】
【請求項１】
表面に複写禁止情報と複写許容情報とが表示され、かつ、肉眼で認知困難で、検証用具を重ねることにより認知容易となる偽造防止画像が表示されたカードを収容するカードケースであって、
カードの前記表面に重ねられる１枚又は複数枚の表面側シートが複写許容情報を透視可能であり、これら表面側シートのうち少なくとも１枚に前記複写禁止情報を透視できない不透明領域が設けられており、かつ、これら表面側シートのうち少なくとも１枚に前記検証用具が配置されており、
カードの裏面に重ねられる１枚又は複数枚の裏面側シートのうち少なくとも１枚が、前記複写禁止情報を認知困難とする半透明な材質で構成されていることを特徴とするカードケース。
【請求項２】
１枚又は複数枚の前記裏面側シートが、カードの書式を透視可能に構成されていることを特徴とする請求項１に記載のカードケース。
【請求項３】
表面に複写禁止情報と複写許容情報とが表示され、かつ、肉眼で認知困難で、検証用具を重ねることにより認知容易となる偽造防止画像が表示されたカードを収容するカードケースであって、
複写許容情報を透視可能な透明シートと前記複写禁止情報を認知困難とする半透明シートとから成り、
前記透明シートが横長で、その中央に折り曲げ線を有しており、かつ、この折り曲げ線によって第１のシートと第２のシートに区分されており、
透明シートの前記第１のシートに前記半透明シートの周縁が接着され、この周縁で囲まれた領域を非接着領域としており、かつ、この非接着領域において透明シートにカード差込用スリットが設けられており、
前記第２のシートの一部に前記複写禁止情報を透視できない不透明領域が設けられていると共に、この第２のシートに前記検証用具が配置されていることを特徴とするカードケース。
【請求項４】
表面に複写禁止情報と複写許容情報とが表示され、かつ、肉眼で認知困難で、検証用具を重ねることにより認知容易となる偽造防止画像が表示されたカードを収容するカードケースであって、
カードを収容するカード収容部とカバー部材とから成り、
カード収容部が、カードの前記表面に重ねられる収容部表面側シートと、カードの裏面に重ねられる収容部裏面側シートとを有するカード収容部とで構成されており、
カバー部材が、収容部表面側シートの外側に重ねられるカバー部表面側シートと、収容部裏面側シートの外側に重ねられるカバー部裏面側シートとで構成されており、
収容部表面側シートとカバー部表面側シートとが複写許容情報を透視可能であり、これら両表面側シートのうち少なくとも１枚に前記複写禁止情報を透視できない不透明領域が設けられており、かつ、これら表側シートのうち少なくとも１枚に前記検証用具が配置されており、
収容部裏面側シートとカバー部裏面側シートのうち少なくとも１枚が、前記複写禁止情報を認知困難とする半透明な材質で構成されていることを特徴とするカードケース。
【請求項５】
前記カバー部材が、折り曲げ線を有する透明シートで構成されており、この折り曲げ線で折り曲げることによって前記カバー部表面側シートと前記カバー部裏面側シートに区分されており、
カバー部表面側シートが収容部表面側シートの外側に重ねられ、かつ、カバー部裏面側シートが収容部裏面側シートの外側に重ねられるように、カバー部材がカード収容部にハ
トメによって回動自在に固定されていることを特徴とする請求項４に記載のカードケース。
【請求項６】
前記カード収容部とカバー部材とが、折り曲げ線を有する透明シートで構成されており、この折り曲げ線で折り曲げることによって、カード収容部とカバー部材とに区分されており、
カード収容部を構成する透明シートは折り曲げ線を有していて、この折り曲げ線で折り曲げることによって、収容部表面側シートと収容部裏面側シートとに区分されており、
カバー部材を構成する透明シートは折り曲げ線を有していて、この折り曲げ線で折り曲げることによって、カバー部表面側シートとカバー部裏面側シートとに区分されていることを特徴とする請求項４に記載のカードケース。
【請求項７】
前記不透明領域が前記カバー部表面側シートに設けられていることを特徴とする請求項５又は６に記載のカードケース。
【請求項８】
前記検証用具が前記カバー部表面側シートに設けられていることを特徴とする請求項５〜７のいずれかに記載のカードケース。
【請求項９】
前記検証用具が凸レンズで構成されていることを特徴とする請求項１〜８のいずれかに記載のカードケース。
【請求項１０】
前記検証用具が、多数の平行線から成る印刷画像で構成されていることを特徴とする請求項１〜８のいずれかに記載のカードケース。
【発明の詳細な説明】
【技術分野】
【０００１】
本発明は、複写を禁止する秘密情報と、複写を許容する公開情報とが、同一の券面に表示されており、かつ、凸レンズ等の検証用具を重ねることにより認知容易となる偽造防止画像が表示されているカードを収容するカードケースに関する。
【０００２】
本発明によれば、カードをカードケースに収容して、前記秘密情報を隠すと共に公開情報（複写許容情報）のみを選択して表示し、しかも、前記偽造防止画像を認知容易に可視化することができる。
【背景技術】
【０００３】
周知のように、磁気カードやＩＣカードは多数の分野で使用されている。例えば、身分証明カード（ＩＤカード）、銀行カード、クレジットカード、運転免許証、マイナンバーカード等である。
【０００４】
これらのカードには、複写を許容する複写許容情報と複写が望ましくない複写禁止情報とが同一券面に表示されていることが通常である。例えば、運転免許証の表面には、都道府県によって異なるが、一般に図１４に示す各種情報が表示されている。すなわち、運転免許証の表面には、その上部に氏名Ａａ、生年月日Ａｂが一列に表示されている。そして、その下方は左右に区分されており、左側には、住所Ａｃ、交付日、有効期限Ａｄ、免許番号Ａｅ、免許の種類がこの順に表示されている。また、右側には顔写真Ａｆ、免許証を発光した公安委員会の名称Ａｇが表示されている。そして、これら住所Ａｃ等と顔写真Ａｆとの間には、罫線で仕切った表が表示されており、免許の種類の細目が表示されている。そして、これら各種表示のうち、秘密性の高いものは、例えば、免許番号Ａｅである。
【０００５】
また、マイナンバーカードは極めて秘密性が高く、このマイナンバーを表示したカードを複写する場合にも、このマイナンバーを複写することは許されていない。
【０００６】
一方、これら各種カードの中には、肉眼で認知困難で、検証用具を重ねることにより認知容易となる偽造防止画像が表示されたものもある。これら偽造防止画像にも多種類が知られているが、例えば、肉眼で読み取ることが困難な程度に微細な文字（マイクロ文字）で印刷された画像や、万線や地紋を利用して、潜像とその背景とを印刷した画像等が知られている。
【０００７】
図１４は、マイクロ文字で印刷された偽造防止画像Ａｈを有するカードＡ１を図示したものである。なお、この図では、説明の便宜のため、マイクロ文字を拡大して図示しているが、このマイクロ文字は極めて微細なものであって、肉眼で読み取ることは困難である。このため、凸レンズを検証用具として使用し、この凸レンズを偽造防止画像Ａｈの上に重ねて拡大することにより、この画像Ａｈを容易に読み取ることができる。そして、この画像Ａｈを読み取ることができた場合には、通常、真正なカードであり、この偽造防止画像Ａｈを読み取ることができない場合には、偽造カードである。なお、凸レンズとしては、フレネル型の凸レンズシートを使用することが多い。
【０００８】
次に、図１５は、地紋等を利用して潜像とその背景とを印刷した偽造防止画像Ａｈ’を有するカードＡ２を図示したものである。図１６を参照してその原理を説明すると、カードＡ２の表面には、直線又は曲線から成る多数の平行線が印刷されている。そして、潜像Ａｈ’２を構成する平行線と、背景Ａｈ’１を構成する平行線とはピッチがずれて印刷されている（図１６（ａ）参照）。両平行線の線密度は同一であり、このため、肉眼によっ
て潜像Ａｈ’２と背景Ａｈ’１とを分離して認知することは困難である。そして、検証用具Ｂとしては、背景Ａｈ’１を構成する平行線と一致する平行線が全面に印刷された透明シートを使用する（図１６（ｂ）参照）。この検証用具Ｂを偽造防止画像Ａｈ’に重ねると、背景Ａｈ’１の領域では、背景Ａｈ’１を構成する平行線と検証用具Ｂの平行線とが互いに重なるため、その線密度は変化しない。一方、潜像Ａｈ’２の領域では、潜像Ａｈ’２を構成する平行線は検証用具Ｂの平行線に重ならず、その間に位置するから、見かけ上の線密度が２倍になる。このため、潜像Ａｈ’２と背景Ａｈ’１とを分離認識することが容易となるのである（図１６（ｃ）参照）。もちろん、このカードＡ２においても、潜像Ａｈ’２が認識できた場合には、通常、真正なカードであり、潜像Ａｈ’２が認識できない場合には、偽造カードである。
【０００９】
ところで、前述のように複写を許容する複写許容情報と複写が望ましくない複写禁止情報とが同一券面に表示されている場合、必要に応じて複写許容情報のみを表示して複写禁止情報を隠蔽するカードケースが特許文献１に記載されている。このカードケースでは、複写禁止情報に対応する位置に液晶シャッターを配置して、この液晶シャッターを駆動することにより、必要に応じて複写禁止情報を隠蔽し、あるいは表示することができる。
【先行技術文献】
【特許文献】
【００１０】
【特許文献１】特許第３３５００８５号公報
【発明の概要】
【発明が解決しようとする課題】
【００１１】
しかしながら、特許文献１のカードケースにおいては液晶シャッターを必要とし、また、この液晶シャッターを駆動する駆動回路を必要とし、構造が複雑で、そのため、このケースに収容したまま、偽造防止画像に検証用具を重ねてカードの真偽を判定することは困難であった。
【００１２】
そして、このようにカードの真偽を判定するためには、カードをケースから取り出して検証用具を重ねる必要があるから、このとき、すなわち、ケースから取り出したとき、複写禁止情報を見ることができた。
【００１３】
このように、特許文献１のカードケースにおいては、複写禁止情報の隠蔽と真偽の判定との両方を行うことは困難だったのである。
【００１４】
そこで、本発明は、複写禁止情報を隠蔽して複写許容情報のみを見ることができ、したがって、複写許容情報のみを選択してコピーできると共に、その真偽判定もできるカードケースを提供することを目的とする。
【課題を解決するための手段】
【００１５】
すなわち、請求項１に記載の発明は、表面に複写禁止情報と複写許容情報とが表示され、かつ、肉眼で認知困難で、検証用具を重ねることにより認知容易となる偽造防止画像が表示されたカードを収容するカードケースであって、
カードの前記表面に重ねられる１枚又は複数枚の表面側シートが複写許容情報を透視可能であり、これら表面側シートのうち少なくとも１枚に前記複写禁止情報を透視できない不透明領域が設けられており、かつ、これら表面側シートのうち少なくとも１枚に前記検証用具が配置されており、
カードの裏面に重ねられる１枚又は複数枚の裏面側シートのうち少なくとも１枚が、前記複写禁止情報を認知困難とする半透明な材質で構成されていることを特徴とするカードケースである。
【００１６】
次に、請求項２に記載の発明は、１枚又は複数枚の前記裏面側シートが、カードの書式を透視可能に構成されていることを特徴とする請求項１に記載のカードケースである。
【００１７】
次に、請求項３に記載の発明は、表面に複写禁止情報と複写許容情報とが表示され、かつ、肉眼で認知困難で、検証用具を重ねることにより認知容易となる偽造防止画像が表示されたカードを収容するカードケースであって、
複写許容情報を透視可能な透明シートと前記複写禁止情報を認知困難とする半透明シートとから成り、
前記透明シートが横長で、その中央に折り曲げ線を有しており、かつ、この折り曲げ線によって第１のシートと第２のシートに区分されており、
透明シートの前記第１のシートに前記半透明シートの周縁が接着され、この周縁で囲まれた領域を非接着領域としており、かつ、この非接着領域において透明シートにカード差込用スリットが設けられており、
前記第２のシートの一部に前記複写禁止情報を透視できない不透明領域が設けられていると共に、この第２のシートに前記検証用具が配置されていることを特徴とするカードケースである。
【００１８】
次に、請求項４に記載の発明は、表面に複写禁止情報と複写許容情報とが表示され、かつ、肉眼で認知困難で、検証用具を重ねることにより認知容易となる偽造防止画像が表示されたカードを収容するカードケースであって、
カードを収容するカード収容部とカバー部材とから成り、
カード収容部が、カードの前記表面に重ねられる収容部表面側シートと、カードの裏面に重ねられる収容部裏面側シートとを有するカード収容部とで構成されており、
カバー部材が、収容部表面側シートの外側に重ねられるカバー部表面側シートと、収容部裏面側シートの外側に重ねられるカバー部裏面側シートとで構成されており、
収容部表面側シートとカバー部表面側シートとが複写許容情報を透視可能であり、これら両表面側シートのうち少なくとも１枚に前記複写禁止情報を透視できない不透明領域が設けられており、かつ、これら表側シートのうち少なくとも１枚に前記検証用具が配置されており、
収容部裏面側シートとカバー部裏面側シートのうち少なくとも１枚が、前記複写禁止情報を認知困難とする半透明な材質で構成されていることを特徴とするカードケースである。
【００１９】
次に、請求項５に記載の発明は、前記カバー部材が、折り曲げ線を有する透明シートで構成されており、この折り曲げ線で折り曲げることによって前記カバー部表面側シートと前記カバー部裏面側シートに区分されており、
カバー部表面側シートが収容部表面側シートの外側に重ねられ、かつ、カバー部裏面側シートが収容部裏面側シートの外側に重ねられるように、カバー部材がカード収容部にハトメによって回動自在に固定されていることを特徴とする請求項４に記載のカードケースである。
【００２０】
次に、請求項６に記載の発明は、前記カード収容部とカバー部材とが、折り曲げ線を有する透明シートで構成されており、この折り曲げ線で折り曲げることによって、カード収容部とカバー部材とに区分されており、
カード収容部を構成する透明シートは折り曲げ線を有していて、この折り曲げ線で折り曲げることによって、収容部表面側シートと収容部裏面側シートとに区分されており、
カバー部材を構成する透明シートは折り曲げ線を有していて、この折り曲げ線で折り曲げることによって、カバー部表面側シートとカバー部裏面側シートとに区分されていることを特徴とする請求項４に記載のカードケースである。
【００２１】
次に、請求項７に記載の発明は、前記不透明領域が前記カバー部表面側シートに設けられていることを特徴とする請求項５又は６に記載のカードケースである。
【００２２】
次に、請求項８に記載の発明は、前記検証用具が前記カバー部表面側シートに設けられていることを特徴とする請求項５〜７のいずれかに記載のカードケースである。
【００２３】
次に、請求項９に記載の発明は、前記検証用具が凸レンズで構成されていることを特徴とする請求項１〜８のいずれかに記載のカードケースである。
【００２４】
次に、請求項１０に記載の発明は、前記検証用具が、多数の平行線から成る印刷画像で構成されていることを特徴とする請求項１〜８のいずれかに記載のカードケースである。
【発明の効果】
【００２５】
本発明によれば、複写禁止情報と複写許容情報とが表示されたカード表面に重ねられる１枚又は複数枚の表面側シートが複写許容情報を透視可能であり、これら表面側シートのうち少なくとも１枚に前記複写禁止情報を透視できない不透明領域が設けられているから、複写許容情報のみを選択して表示することができる。もちろん、コピーした場合には、複写許容情報のみを選択して複写できる。
【００２６】
そして、これら表面側シートには、検証用具が配置されているから、複写禁止情報を透視できない状態に隠蔽したまま、カードの真偽を判定することが可能となる。
【００２７】
なお、カードの表裏を誤って収容した場合でも、裏面のシートが複写禁止情報を認知困難とする半透明な材質で構成されているから、複写禁止情報を読み取ることは困難であり、複写することも困難である。
【図面の簡単な説明】
【００２８】
【図１】図１は本発明の第１の具体例に係り、図１（ａ）はカードケースの断面説明図、図１（ｂ）は表面シート側から見た平面図、図１（ｃ）は裏面シート側から見た平面図である。
【図２】図２は本発明の第１の具体例に係り、カードの収容方法を示す斜視図である。
【図３】図３は本発明の第１の具体例に係り、カードを収容して、表面シート側から見た平面図である。
【図４】図４は本発明の第１の具体例に係り、表裏を誤ってカードを収容した場合における、裏面シート側から見た平面図である。
【図５】図５は本発明の第２の具体例に係り、カードケースの断面図である。
【図６】図６は本発明の第３の具体例に係り、図６（ａ）はカードケースの断面説明図、図６（ｂ）は平面図である。
【図７】図７は本発明の第３の具体例に係り、図７（ａ）及び（ｂ）は、それぞれ、カードケースの使用方法を示す断面説明図である。
【図８】図８は本発明の第４の具体例に係り、図８（ａ）はカードケースの斜視図、図８（ｂ）は断面説明図である。
【図９】図９は本発明の第４の具体例に係り、カードの収容方法を示す斜視図である。
【図１０】図１０は本発明の第５の具体例に係り、カードケースの斜視図である。
【図１１】図１１は本発明の第５の具体例に係り、図１１（ａ）はカードケースのブランクの展開図、図１１（ｂ）は検証用具の平面図、図１１（ｃ）は検証用具の断面説明図である。
【図１２】図１２は本発明の第５の具体例に係り、図１２（ａ）〜（ｃ）はカードケースの組み立て工程を示す説明用平面図である。
【図１３】図１３は本発明の第５の具体例に係り、図１３（ｄ）〜（ｆ）はカードケースの組み立て工程を示す説明用平面図である。
【図１４】図１４はカードの例を示す平面図である。
【図１５】図１５はカードの例を示す平面図である。
【図１６】図１６は偽造防止技術の原理を説明するもので、図１６（ａ）はカードの偽造防止画像の例を示す説明図、図１６（ｂ）は検証用具の例を示す説明図、図１６（ｃ）は両者を重ねたときの説明図である。
【発明を実施するための形態】
【００２９】
本発明のカードケースは、特定のカードを収容するカードケースである。
【００３０】
このカードケースが対象とするカードは、カードの表裏面のうち、表面に複写禁止情報と複写許容情報とが表示されたものである。
【００３１】
また、このカードは、前記表面に偽造防止画像が表示されたものである必要がある。偽造防止画像は、肉眼で認知困難で、検証用具を重ねることにより認知容易となるものでなくてはならない。例えば、肉眼で読み取ることが困難な程度に微細な文字（マイクロ文字）で印刷された画像や、万線や地紋を利用して、潜像とその背景とを印刷した画像等である。前述のように、マイクロ文字印刷された偽造防止画像は、凸レンズを検証用具として使用し、この凸レンズを偽造防止画像の上に重ねることにより認知容易となる。また、万線や地紋を利用して、潜像とその背景とを印刷した偽造防止画像は、背景と同じ万線等を印刷した透明シートを検証用具として使用し、この透明シートを偽造防止画像の上に重ねることにより認知容易となる。
【００３２】
本発明のカードケースは、複写禁止情報、複写許容情報、偽造防止画像の三者が表示された表面に重ねられる表面側シートと、裏面に重ねられる裏面側シートとを必須の構成要素とするものである。表面側シートは１枚であってもよいし、複数枚であってもよいが、複数枚の場合でも、これら複数枚の表面側シートはいずれも複写許容情報を透視可能でなくてはならない。また、これら１枚又は複数枚の表面側シートのうち少なくとも１枚に前記複写禁止情報を透視できない不透明領域を有している必要がある。また、これに加えて、これら１枚又は複数枚の表面側シートのうち少なくとも１枚に、前記偽造防止画像を認知容易とする検証用具が配置されている必要がある。
【００３３】
一方、裏面側シートも１枚であってもよいし、複数枚であってもよいが、複数枚の場合でも、これら複数枚の裏面側シートはいずれも複写禁止情報を認知困難とする半透明な材質で構成されている必要がある。
【００３４】
本発明のカードケースの具体的構造は多岐に渡る。例えば、１枚の表面側シートと１枚の裏面側シートとを使用し、両者を重ねて三方をシールしてカードケースとしてもよい。また、カード収容部とカバー部材とを設けて、カード収容部にカードを収容し、その外側をカバー部材で覆う構造を有していてもよい。この場合には、前記不透明領域と検証用具とは、いずれも、カード収容部とカバー部材のどちらかに配置することができる。
【００３５】
そこで、以下、具体例を挙げて、本発明のカードケースの具体的構造を説明する。なお、これらの具体例では、収容対象のカードは、偽造防止画像としてマイクロ文字で印刷された画像を有するカードＡ１であり、カードケースは、検証用具としてフレネル型の凸レンズを有するものである。
【００３６】
（第１の具体例）
このカードケース１００は、図１に示すように、表面シート１１と裏面シート１２とを
重ね、その周囲の三方で互いに接着して構成したものである。
【００３７】
表面シート１１は複写許容情報を透視できる透明な材質から成り、その一部に不透明な領域１１２が設けられている。この不透明領域１１２は、カード２を収容したとき、その複写禁止情報に対面する位置である。また、表面シート１１の片面には微細な凹凸が形成されており、この凹凸によってフレネル型の凸レンズ１１ｘを構成している（図１（ａ）及び（ｂ）参照）。
【００３８】
表面シート１１としては、ポリ塩化ビニルシート、ポリエステルシート、ポリアミドシート等のプラスチックシート１１１を使用することができる。また、不透明領域１１２は黒色等の濃色の印刷インキを印刷して形成すればよい。また、金属箔を張り合わせたり、金属蒸着層を転写して不透明領域１１２を形成することも可能である。また、このプラスチックシート１１１をエンボスすることにより、フレネル型の凸レンズ１１ｘから成る検証用具を形成することができる。これらプラスチックシート１１１の表面に透明インキを印刷することによってフレネル型の凸レンズ１１ｘを形成することも可能である。また、別途作成した凸レンズシートをプラスチックシート１１１に接着してもよい。
【００３９】
次に、裏面シート１２は半透明なシートで構成されている（図１（ｃ）参照）。カードＡ１の表裏を誤って収容したときでも、複写禁止情報を認知困難とするためである。この裏面シート１２としては、白色顔料を混合して製膜したプラスチックシートを使用することができる。例えば、ポリ塩化ビニルシート、ポリエステルシート、ポリアミドシート等である。また、透明なプラスチックシートに白色インキを印刷して半透明としたものであってもよい。透明プラスチックシートを粗面化して半透明とすることもできる。
【００４０】
なお、表裏のシート１１，１２は、接着剤を使用して、その周囲で接着することができる。また、ヒートシールに接着してもよい。
【００４１】
そして、図２に示すように、開口部からカードＡ１を挿入して収容することができる。カードＡ１を収容したカードケース１は、図３に示すように、複写禁止情報（この例では免許番号Ａｅ）に不透明領域１１２が対面して透視困難としており、その他の複写許容情報（この例では、住所氏名、顔写真、書式等）は、表面シート１１を透して透視できる。このため、このままコピーした場合には、複写禁止情報を除くその他の複写許容情報をコピーすることができる。また、この図３から分かるように、この状態のまま、すなわち、複写禁止情報を透視困難としたまま、マイクロ文字で印刷された偽造防止画像Ａｈを拡大して読み取ることができる。
【００４２】
次に、図４は、カードの表裏を誤って収容した場合を示す説明図である。この図から分かるように、表裏を誤って収容した場合には、複写禁止情報と複写許容情報の両方が裏面シート１２を透して透視できるものの、裏面シート１２が半透明であるため、その書式（レイアウト）は認知できるものの、複写禁止情報と複写許容情報のいずれについても判読困難である。このため、表裏を誤って収容したことに気づき易く、万一気づくことなくコピーした場合にも、複写禁止情報が複写されることがない。
【００４３】
（第２の具体例）
このカードケース２００は、透明シート２２１に半透明なシート２２２を積層して裏面シート２２を構成したもので、その他の構造は第１の具体例１００と同様である（図５参照）。これら透明シート２２１と半透明シート２２２とは、その全面で接着していてもよいし、周縁だけで接着していてもよいが、一辺のみを接着し場合には、半透明シート２２２をめくることで、複写禁止情報を透視困難としたまま両面を視認することができる。
【００４４】
（第３の具体例）
このカードケース３００は、図６に示すように、透明シート３１と半透明シート３２とで構成されている。透明シート３１は複写許容情報を透視可能なもので、横長の形状を有し、その長手方向中央に折り曲げ線３１ｃを有しており、かつ、この折り曲げ線３１ｃによって第１のシート３１ａと第２のシート３１ｂとに区分されている。なお、第１のシート３１ａと第２のシート３１ｂのうち、第２のシート３１ｂがカードＡ１の表面に重ねられる表面側シートであり、半透明シート３２がカードＡ１の裏面に重ねられる裏面側シートを構成する。
【００４５】
この第２のシート３１ｂには不透明な領域３３が設けられている。この不透明領域３３は、カードＡ１を収容したとき、その複写禁止情報に対面する位置である。この不透明領域３３は、濃色の印刷インキを印刷したり、金属箔を張り合わせて形成することができる。また、金属蒸着層を転写して形成してもよい。
【００４６】
また、第２のシート３１ｂには、フレネル型の凸レンズ３１ｘから成る検証用具が配置されている。この凸レンズ３１ｘは、透明シート３１をエンボスして形成してもよいし、印刷によって形成してもよい。また、別途作成した凸レンズシートを接着して検証用具とすることも可能である。
【００４７】
一方、前記半透明シート３２は複写禁止情報を認知困難とし、その他の複写許容情報（この例では、住所氏名、顔写真、書式等）を透視できる程度に半透明なものである。そして、この半透明シート３２は、透明シート３の前記第１のシート３１ａに積層されている。このため、半透明シート３２はこの第１のシート３１ａにほぼ等しい大きさを有している。透明シート３１と半透明シート３２とは、半透明シート３２の周縁３ａで互いに接着されており、この周縁で囲まれた領域は、透明シート３１と半透明シート３２とが互いに接着しない非接着領域とされている必要がある。
【００４８】
そして、この非接着領域の内部に、透明シート３１を貫通するスリット３１ｙが設けられている。このスリット３１ｙは、後述するように、カードＡ１の端部を差し込んで固定するためのものである。
【００４９】
このカードケース３００は、図７（ａ）に示すように使用することができる。すなわち、まず、カードＡ１の端部をカード差込用スリット３１ｙから差込んで、カードを固定保持する。図７（ａ）はこの状態を示している。
【００５０】
次に、中央の折り曲げ線３１ｃで折り曲げて透明シート３１の第２のシート３１ｂをカードに重ねることによって、カードＡ１を第１のシート３１ａと第２のシート３１ｂとの間に挟むことができる。
【００５１】
ところで、カードＡ１の複写禁止情報（この例では免許番号Ａｅ）が第２のシート３１ｂに向き合うようにカードＡ１を配置すれば、第２のシート３１ｂには一部に不透明領域３３が設けられているから、複写禁止情報は透視困難であり、複写許容情報（この例では、住所氏名、顔写真、書式等）のみを選択して表示することができる。もちろん、コピーした場合には、複写許容情報のみを選択して複写できる。また、第２のシート３１ｂには、フレネル型の凸レンズ３１ｘから成る検証用具が配置されているから、複写禁止情報を透視困難としたまま、マイクロ文字で印刷された偽造防止画像Ａｈを拡大して読み取ることが可能である。
【００５２】
また、カードＡ１の表裏を誤って収容した場合でも、第１のシート３１ａは複写禁止情報を認知困難とする半透明シートで構成されているから、その書式（レイアウト）は認知
できるものの、複写禁止情報と複写許容情報のいずれについても判読困難である。このため、表裏を誤って収容したことに気づき易く、万一気づくことなくコピーした場合にも、複写禁止情報が複写されることがない。
【００５３】
なお、図７（ａ）はカードＡ１を第２のシート３１ｂ側から反対側に向かってスリット３１ｙに差込む例を示しているが、図７（ｂ）に示すように、第２のシート３１ｂに向かってスリット３１ｙにカードＡ１を差し込んでもよい。
【００５４】
（第４の具体例）
次に、この例は、図８に示すように、カードケース４００をカード収容部４１とカバー部材４２の両者で構成した例である。
【００５５】
カード収容部４１は、表面シート（収容部表面側シート）４１２と裏面シート（収容部裏面側シート）４１１とを重ね、その周囲の三方で互いに接着して構成したものである。この収容部表面側シート４１２と収容部裏面側シート４１１とで囲まれた収容部にカードＡ１を収容したとき、収容部表面側シート４１２はカードＡ１の表面に重ねられ、収容部裏面側シート４１１はカードＡ１の裏面に重ねられる。
【００５６】
また、カバー部材４２は、中央に折り曲げ線を有する透明シートで構成されており、この折り曲げ線で折り曲げることによって、カバー部表面側シート４２２とカバー部裏面側シート４２１とに区分されている。カバー部表面側シート４２２は、収容部表面側シート４１２の上からカードＡ１の表面に重ねられるものであり、カバー部裏面側シート４２１は、収容部裏面側シート４１１の上からカードＡ１の表面に重ねられるものである。
【００５７】
そして、カバー部表面側シート４２２には、不透明な領域４２２ｂが設けられている。この不透明領域４２２ｂは、カードＡ１を収容して、カバー部表面側シート４２２を重ねたとき、カードＡ１の複写禁止情報に対面する位置である。また、このカバー部表面側シート４２２には、フレネル型の凸レンズ４２ｘから成る検証用具が配置されている。
【００５８】
一方、カバー部裏面側シート４２１には、複写禁止情報を認知困難とする半透明な領域が設けられている。この例では、半透明印刷層４２１ｂを設けて半透明としている。
【００５９】
そして、カード収容部４１とカバー部材４２とは、それぞれの角部に位置するハトメ４３によって回動自在に固定されている。なお、この際、カード収容部４１とカバー部材４２とは、カバー部表面側シート４２２は収容部表面側シート４１２の外側に重ねられ、かつ、カバー部裏面側シート４２１が収容部裏面側シート４１１の外側に重ねられるように、配置されている。
【００６０】
このカードケース４００は、次のように使用する。すなわち、まず収容部表面側シート４１２と収容部裏面側シート４１１とで囲まれた収容部にカードＡ１を収容し（図９参照）、次に、カバー部材４２を回動させて、カバー部表面側シート４２２を収容部表面側シート４１２の外側に重ねると共に、カバー部裏面側シート４２１を収容部裏面側シート４１１の外側に重ねて使用する。この結果、カードＡ１の表面には、収容部表面側シート４１２とカバー部表面側シート４２２とがこの順に重ねられる。また、カードＡ１の裏面には、収容部裏面側シート４１１とカバー部裏面側シート４２１とがこの順に重ねられる。
【００６１】
こうしてカードＡ１の表面に重ねられたカバー部表面側シート４２２には不透明領域４２２ｂが設けられており、この不透明領域４２２ｂは複写禁止情報に対面する位置に配置されているから、複写禁止情報は透視困難であり、複写許容情報のみを選択して表示することができる。また、カバー部表面側シート４２２には、フレネル型の凸レンズ４２ｘから成る検証用具が配置されているから、複写禁止情報を透視困難としたまま、マイクロ文字で印刷された偽造防止画像Ａｈを拡大して読み取ることが可能である。
【００６２】
また、カードＡ１の表裏を誤って収容した場合でも、カバー部裏面側シート４２１は複写禁止情報を認知困難とする半透明印刷層４２１ｂを有しているから、その書式（レイアウト）は認知できるものの、複写禁止情報と複写許容情報のいずれについても判読困難である。このため、表裏を誤って収容したことに気づき易く、万一気づくことなくコピーした場合にも、複写禁止情報が複写されることがない。
【００６３】
なお、この例では、不透明領域４２２ｂとフレネル型の凸レンズ４２ｘから成る検証用具とを、いずれも、カバー部表面側シート４２２に配置しているが、これに限らず、カードＡ１の表面に重ねられる任意のシートに配置することが可能である。例えば、不透明領域４２２ｂを収容部表面側シート４１２に配置し、検証用具をカバー部表面側シート４２２に配置してもよい。また、不透明領域４２２ｂと検証用具の両者を収容部表面側シート４１２に配置することも可能である。
【００６４】
また、この例では、カバー部裏面側シート４２１に半透明印刷層４２１ｂを設けているが、これに限らず、カードＡ１の裏面に重ねられる任意のシートを、複写禁止情報を認知困難とする半透明な材質で構成すればよい。例えば、収容部裏面側シート４１１に半透明印刷層を設けてもよい。また、半透明印刷層４２１ｂに代えて、収容部裏面側シート４１１として半透明なシートを使用することも可能である。また、収容部裏面側シート４１１又はカバー部裏面側シート４２１に、半透明なシートを積層してもよい。
【００６５】
（第５の具体例）
次に、この例も、図１０に示すように、カードケース５００をカード収容部とカバー部材の両者で構成した例である。但し、この例では、カード収容部とカバー部材とは、中央に折り曲げ線を有する透明シート５１で構成されており、この折り曲げ線で折り曲げることによって、カード収容部とカバー部材とに区分されている。
【００６６】
このカードケース５００を説明するにあたって、便宜上、カード収容部とカバー部材の両者を構成する透明シート５１をまず説明する。次に、この透明シート５１と共にカードケース５００を構成する検証用具５２を説明する。そして、これら透明シート５１と検証用具５２とを使用してカードケース５００を製造する方法について説明する。
【００６７】
すなわち、このカードケース５００は透明シート５１と検証用具５２とで構成されるものである。透明シート５１は図１１のようなブランクから成るものである。
【００６８】
このブランク５１は、それぞれ折り曲げ線５１ａ，５１ｂ，５１ｃを介して、収容部裏面側シート５１１、収容部表面側シート５１２、カバー部裏面側シート５１３、カバー部表面側シート５１４を連接して構成されている。
【００６９】
これら４枚のシートのうち、収容部を構成するものは収容部裏面側シート５１１と収容部表面側シート５１２であり、カードＡ１はこれら収容部裏面側シート５１１と収容部表面側シート５１２との間の収容部に収容する。また、カバー部材を構成するものはカバー部裏面側シート５１３とカバー部表面側シート５１４である。
【００７０】
また、収容したカードＡ１の表面に重ねられるのは収容部表面側シート５１２とカバー部表面側シート５１４であり、裏面に重ねられるのは収容部裏面側シート５１１とカバー部裏面側シート５１３である。
【００７１】
収容部表面側シート５１２には、その左右に、折り曲げ線を介して、フラップ５１２ａ１，５１２ａ２が連接されており、このフラップ５１２ａ１，５１２ａ１には突起５１２ｂ１，５１２ｂ２が設けられている。これら突起５１２ｂ１，５１２ｂ２は、後述するように、スリット５１１ｂ１，５１１ｂ２に差し込んでフラップ５１２ａ１，５１２ａ２を固定する機能を有するものである。
【００７２】
次に、収容部裏面側シート５１１には、そのエンド方向に、折り曲げ線を介して、フラップ固定用タブ５１１ａが連接されている。そして、収容部裏面側シート５１１とフラップ固定用タブ５１１ａとの境界の折り曲げ線の一部にはスリット５１１ｂ１，５１１ｂ２が設けられている。このスリット５１１ｂ１，５１１ｂ２は、前述のように、フラップ５１２ａ１，５１２ａ１を差し込むもので、このため、突起５１２ｂ１，５１２ｂ２と同数である。この例では、突起５１２ｂ１，５１２ｂ２の数は２個であるため、スリット５１１ｂ１，５１１ｂ２も２個である。
【００７３】
次に、カバー部裏面側シート５１３は、複写禁止情報を認知困難とする半透明な領域が設けられている。この例では、半透明印刷層５１３ｂを設けて半透明としている。
【００７４】
また、カバー部表面側シート５１４には、収容部裏面側シート５１１に向けて凸状の切り込み５１４ａが設けられており、この凸状切り込み５１４ａによって係合片５１４ｂが形成されている。
【００７５】
次に、検証用具５２は、フレネル型の凸レンズシート５２１の一部に不透明領域５２２を形成したものである。この例では、透明なプラスチックシートの表面に凹凸を設けて凸レンズシート５２１としている。また、その表面に濃色の印刷インキを印刷して不透明領域５２２としている。なお、この検証用具５２は、その一辺を接着代５２ａとしている（図１１（ｂ）及び（ｃ）参照）。
【００７６】
これらブランク５１と検証用具５２とを使用して、カードケース５００を組み立てることができる。図１２〜図１３を参照して、その工程を説明する。
【００７７】
すなわち、まず、検証用具５２をカバー部表面側シート５１４に接着する（図１２（ａ）参照）。全面で接着してもよいが、この例では、検証用具５２の接着代５２ａで部分的に接着している。なお、不透明領域５２２は、カードＡ１を収容して、カバー部表面側シート５１４を重ねたとき、カードＡ１の複写禁止情報に対面する位置に配置される必要がある。
【００７８】
次に、フラップ５１２ａ１，５１２ａ２を折り曲げて、収容部表面側シート５１２上に重ねる（図１２（ｂ）参照）。続いて、収容部裏面側シート５１１を折り曲げ線５１ａから折り曲げて、フラップ５１２ａ１，５１２ａ２に重ねる（図１２（ｃ）参照）。そして、フラップ固定用タブ５１１ａを折り曲げて、収容部表面側シート５１２とフラップ５１２ａ１，５１２ａ２との間に差し込むと共に、フラップ５１２ａ１，５１２ａ２の突起５１２ｂ１，５１２ｂ２をフラップ固定用タブ５１１ａのスリット５１１ｂ１，５１１ｂ２に差し込んで両者を固定する（図１３（ｄ）参照）。
【００７９】
これらの工程により、カード収容部を形成することができる。このカード収容部は、収容部表面側シート５１２とフラップ固定用タブ５１１ａとの間を開口部として、カードＡ１を挿入して収容することができる。
【００８０】
次に、収容部表面側シート５１２とカバー部裏面側シート５１３との間の折り曲げ線５１ｂで折り曲げて、カバー部裏面側シート５１３を収容部裏面側シート５１１の上に重ね（図１３（ｅ）参照）、続いて、カード収容部を包むようにカバー部表面側シート５１４を折り曲げ線５１ｃで折り曲げてカバー部表面側シート５１４を収容部表面側シート５１２の上に重ねる。そして、最後に係合片５１４ｂを収容部端部に係合することにより、カバー部材を備え、かつ、カードＡ１を収容したカードケース５００を作成することができる。図１３（ｆ）は、カバー部表面側シート５１４側から見たカードケース５００の平面図である。
【００８１】
こうしてカードＡ１を収容したカードケース５００は、カードＡ１の表面に、収容部表面側シート５１２、検証用具５２、カバー部表面側シート５１４の三者がこの順に重ねられている。そして、検証用具５２には不透明領域５２２が設けられており、この不透明領域５２２は複写禁止情報に対面する位置に配置されているから、複写禁止情報は透視困難であり、複写許容情報のみを選択して表示することができる。また、検証用具５２は、フレネル型の凸レンズから構成されているから、複写禁止情報を透視困難としたまま、マイクロ文字で印刷された偽造防止画像Ａｈを拡大して読み取ることが可能である。
【００８２】
また、カードＡ１の表面には、フラップ固定用タブ５１１ａ、フラップ５１２ａ１，５１２ａ２、収容部裏面側シート５１１、カバー部裏面側シート５１３の四者がこの順に重ねられており、カバー部裏面側シート５１３には半透明印刷層５１３ｂが設けられているから、カードＡ１の表裏を誤って収容した場合でも、その書式（レイアウト）は認知できるものの、複写禁止情報と複写許容情報のいずれについても判読困難である。このため、表裏を誤って収容したことに気づき易く、万一気づくことなくコピーした場合にも、複写禁止情報が複写されることがない。
【００８３】
なお、この例では、不透明領域５２２を検証用具５２に配置しているが、これに限らず、カードＡ１の表面に重ねられる任意のシートに配置することが可能である。また、半透明な領域として半透明印刷層５１３ｂをカバー部裏面側シート５１３に配置しているが、カードＡ１の表面に重ねられる任意のシートに配置することができる。
【符号の説明】
【００８４】
１００：カードケース
１１：表面シート    １１１：プラスチックシート    １１２：不透明領域    １１ｘ：凸レンズ
１２：裏面シート
２００：カードケース
２１：表面シート    ２１１：プラスチックシート    ２１２：不透明領域    ２１ｘ：凸レンズ
２２：裏面シート    ２２１：透明シート    ２２２：半透明シート
３００：カードケース
３１：透明シート    ３１ａ：第１のシート    ３１ｂ：第２のシート    ３１ｃ：折り曲げ線    ３１ｘ：フレネル型凸レンズ    ３１ｙ：スリット
３２：半透明シート    ３２ａ：周縁
３３：不透明領域
４００：カードケース
４１：カード収容部    ４１１：収容部裏面側シート    ４１２：収容部表面側シート
４２：カバー部材    ４２１：カバー部裏面側シート    ４２１ｂ：半透明印刷層    ４２２：カバー部表面側シート    ４２２ｂ：不透明領域    ４２ｘ：フレネル型凸レンズ
４３：ハトメ
５００：カードケース
５１：透明シートのブランク
５１１：収容部裏面側シート    ５１１ａ：フラップ固定用タブ    ５１１ｂ１：スリット    ５１１ｂ２：スリット
５１２：収容部表面側シート    ５１２ａ１：フラップ    ５１２ａ２：フラップ    ５１２ｂ１：突起    ５１２ｂ２：突起
５１３：カバー部裏面側シート    ５１３ｂ：半透明印刷層
５１４：カバー部表面側シート  ５１４ａ：切り込み    ５１４ｂ：係合片
５１ａ，５１ｂ，５１ｃ：折り曲げ線
５２：検証用具    ５２１：凸レンズシート    ５２２：不透明領域    ５２ａ：接着代
Ａ１：カード    Ａ２：カード
Ａａ：氏名    Ａｂ：生年月日    Ａｃ：住所    Ａｄ：有効期限    Ａｅ：免許番号（複写禁止情報）    Ａｆ：顔写真    Ａｇ：公安委員会の名称    Ａｈ：偽造防止画像
【図１】
0006565572.tif 000002
【図２】
0006565572.tif 000003
【図３】
0006565572.tif 000004
【図４】
0006565572.tif 000005
【図５】
0006565572.tif 000006
【図６】
0006565572.tif 000007
【図７】
0006565572.tif 000008
【図８】
0006565572.tif 000009
【図９】
0006565572.tif 000010
【図１０】
0006565572.tif 000011
【図１１】
0006565572.tif 000012
【図１２】
0006565572.tif 000013
【図１３】
0006565572.tif 000014
【図１４】
0006565572.tif 000015
【図１５】
0006565572.tif 000016
【図１６】
0006565572.tif 000017